(57)【特許請求の範囲】
【請求項１】
顧客の口座データを格納する元帳データベースと、現金を入金する出納機と、出納機が入金した取引金額及び出納機番号を含む入金明細データを入力とし、前記現金の入金処理に対して付与した取引通番号及び取引金額を含む入金キューを生成する管理サーバと、この管理サーバが生成した入金キューを格納する管理データベースと、前記入金キュー及び入金伝票記載の入金額を参照して元帳データベースの口座データに取引金額を登録する窓口端末とを備え、前記出納機が現金の出納を行った前記取引通番号を認証伝票に印字する口座データ登録システムであって、前記現金入金処理に対して取引通番号を付与した親入金キュー及び前記親入金キューの内訳を細分化するための枝番号を付与した子入金キューを格納する管理データベースを設け、前記入金伝票と認証伝票とが複数対単数のとき、前記窓口端末が、前記認証伝票に印字された取引通番号を管理サーバに送信する第１工程と、前記第１工程による取引通番号を受信した管理サーバが、前記受信した取引通番号をキーとして管理データベースに格納した親入金キューを検索して前記窓口端末に返信する第２工程と、前記第２工程により親入金キューを受信した窓口端末が、前記親入金キューに含まれる取引金額に対して入金伝票記載の入金額を指定した入力明細データを前記管理サーバに送信する第３工程と、前記第３工程により入力明細データを受信した管理サーバが、前記親入金キューの内訳を細分化するための枝番号を付与したデータ構造である子入金キューを生成し、前記子入金キューに前記受信した入力明細データに含まれる入金伝票記載入金額を管理データベースに格納して前記窓口端末に返信する第４工程と、前記窓口端末が入金取引を実行し、前記元帳データベースの口座データに入金伝票記載の金額を登録したとき、前記管理サーバに管理データベースに格納した親入金キュー及び子入金キューを確定させる第５工程とを実行する口座データ登録システム。
【請求項２】
前記管理サーバに複数の窓口端末が接続された口座データ登録システムであって、前記管理サーバが、前記第４工程により生成した子入金キューを管理データベースに格納したとき、前記第１工程により取引通番号を送信した窓口端末からの親入金キューに対する通信のみを許可する第６工程と、前記第５工程による管理データベースに格納した親入金キュー及び子入金キューを確定したとき、前記第６工程による許可を解除する第７工程を実行する請求項１記載の口座データ登録システム。
【請求項３】
顧客の口座データを格納する元帳データベースと、現金を入金する出納機と、出納機が入金した取引金額及び出納機番号を含む入金明細データを入力とし、前記現金の入金処理に対して付与した取引通番号及び取引金額を含む入金キューを生成する管理サーバと、この管理サーバが生成した入金キューを格納する管理データベースと、前記入金キュー及び入金伝票記載の入金額を参照して元帳データベースの口座データに取引金額を登録する窓口端末とを備え、前記出納機が現金の出納を行った前記取引通番号を認証伝票に印字する口座データ登録システムであって、前記現金入金処理に対して取引通番号を付与した親入金キュー及び前記親入金キューの内訳を細分化するための枝番号を付与した子入金キューを格納する管理データベースを設け、前記入金伝票と認証伝票とが単数対複数のとき、前記窓口端末が、前記複数の認証伝票に印字された複数の入金金額の合計額を入金取引金額として設定する第１工程と、前記窓口端末が、認証伝票に印字された取引通番号を管理サーバに送信する第２工程と、前記第２工程による取引通番号を受信した管理サーバが、前記受信した取引通番号をキーとして管理データベースに格納した親入金キューを検索して前記窓口端末に返信する第３工程と、前記第３工程により親入金キューを受信した窓口端末が、前記親入金キューに含まれる取引金額が前記入金取引金額の一部であることを示す継続宣言されたことを検知する第４工程と、前記第４工程により継続宣言した窓口端末が、次の認証伝票に印字された取引通番号を管理サーバに送信する第５工程と、前記第５工程による取引通番号を受信した管理サーバが、前記受信した取引通番号をキーとして管理データベースに格納した次の親入金キューを検索して前記窓口端末に返信する第６工程と、前記窓口装置が、前記第３工程及び第６工程により受信した親入金キューに含まれる取引金額の累計金額が前記第１工程により設定した入金取引金額の全てであることを示す確定宣言されたことを検知することにより、前記管理サーバに管理データベースに格納した親入金キューの状態を更新する第７工程と、前記窓口端末が入金取引を実行し、前記元帳データベースの口座データに入金伝票記載の金額を登録したとき、前記管理サーバに管理データベースに格納した親入金キューを確定させる第８工程とを実行する口座データ登録システム。
【請求項４】
前記管理サーバに複数の窓口端末が接続された口座データ登録システムであって、前記管理サーバが、前記第７工程により親入金キューの状態を更新したとき、前記第２工程により取引通番号を送信した窓口端末からの親入金キューに対する通信のみを許可する第９工程と、前記第８工程による管理データベースに格納した親入金キューを確定したとき、前記第９工程による許可を解除する第１０工程を実行する請求項３記載の口座データ登録システム。
【請求項５】
顧客の口座データを格納する元帳データベースと、現金を入金する出納機と、出納機が入金した取引金額及び出納機番号を含む入金明細データを入力とし、前記現金の入金処理に対して付与した取引通番号及び取引金額を含む入金キューを生成する管理サーバと、この管理サーバが生成した入金キューを格納する管理データベースと、前記入金キュー及び入金伝票記載の入金額を参照して元帳データベースの口座データに取引金額を登録する窓口端末とを備え、前記出納機が現金の出納を行った前記取引通番号を認証伝票に印字する口座データ登録方法であって、前記現金入金処理に対して取引通番号を付与した親入金キュー及び前記親入金キューの内訳を細分化するための枝番号を付与した子入金キューを格納する管理データベースを設け、前記入金伝票と認証伝票とが複数対単数のとき、前記窓口端末に、前記認証伝票に印字された取引通番号を管理サーバに送信する第１工程を実行させ、前記第１工程による取引通番号を受信した管理サーバに、前記受信した取引通番号をキーとして管理データベースに格納した親入金キューを検索して前記窓口端末に返信する第２工程を実行させ、前記第２工程により親入金キューを受信した窓口端末に、前記親入金キューに含まれる取引金額に対して入金伝票記載の入金額を指定した入力明細データを前記管理サーバに送信する第３工程を実行させ、前記第３工程により受信した入力明細データを受信した管理サーバに、前記親入金キューの内訳を細分化するための枝番号を付与したデータ構造である子入金キューを生成し、前記子入金キューに前記受信した入力明細データに含まれる入金伝票記載入金額を管理データベースに格納して前記窓口端末に返信する第４工程を実行させ、前記窓口端末が入金取引を実行し、前記元帳データベースの口座データに入金伝票記載の金額を登録したとき、前記管理サーバに管理データベースに格納した親入金キュー及び子入金キューを確定させる第５工程を実行させる口座データ登録方法。
【請求項６】
前記管理サーバに複数の窓口端末が接続された口座データ登録システムの口座データ登録方法であって、前記管理サーバに、前記第４工程により生成した子入金キューを管理データベースに格納したとき、前記第１工程により取引通番号を送信した窓口端末からの親入金キューに対する通信のみを許可する第６工程を実行させ、前記第５工程による管理データベースに格納した親入金キュー及び子入金キューを確定したとき、前記第６工程による許可を解除する第７工程を実行させる請求項５記載の口座データ登録方法。
【請求項７】
顧客の口座データを格納する元帳データベースと、現金を入金する出納機と、出納機が入金した取引金額及び出納機番号を含む入金明細データを入力とし、前記現金の入金処理に対して付与した取引通番号及び取引金額を含む入金キューを生成する管理サーバと、この管理サーバが生成した入金キューを格納する管理データベースと、前記入金キュー及び入金伝票記載の入金額を参照して元帳データベースの口座データに取引金額を登録する窓口端末とを備え、前記出納機が現金の出納を行った前記取引通番号を認証伝票に印字する口座データ登録方法であって、前記現金入金処理に対して取引通番号を付与した親入金キュー及び前記親入金キューの内訳を細分化するための枝番号を付与した子入金キューを格納する管理データベースを設け、前記入金伝票と認証伝票とが単数対複数のとき、前記窓口端末に、前記複数の認証伝票に印字された複数の入金金額の合計額を入金取引金額として設定する第１工程を実行させ、認証伝票に印字された取引通番号を管理サーバに送信する第２工程を実行させ、前記第２工程による取引通番号を受信した管理サーバに、前記受信した取引通番号をキーとして管理データベースに格納した親入金キューを検索して前記窓口端末に返信する第３工程を実行させ、前記第３工程により親入金キューを受信した窓口端末に、前記親入金キューに含まれる取引金額が前記入金取引金額の一部であることを示す継続宣言を検知する第４工程を実行させ、前記第４工程により継続宣言した窓口端末に、次の認証伝票に印字された取引通番号を管理サーバに送信する第５工程を実行させ、前記第５工程による取引通番号を受信した管理サーバに、前記受信した取引通番号をキーとして管理データベースに格納した次の親入金キューを検索して前記窓口端末に返信する第６工程を実行させ、前記窓口装置に、前記第３工程及び第６工程により受信した親入金キューに含まれる取引金額の累計金額が前記第１工程により設定した入金取引金額の全てであることを示す確定宣言されたことを検知することにより、前記管理サーバに管理データベースに格納した親入金キューの状態を更新する第７工程を実行させ、前記窓口端末が入金取引を実行し、前記元帳データベースの口座データに入金伝票記載の金額を登録したとき、前記管理サーバに管理データベースに格納した親入金キューを確定させる第８工程を実行させる口座データ登録方法。
【請求項８】
前記管理サーバに複数の窓口端末が接続された口座データ登録システムの口座データ登録方法であって、前記管理サーバに、前記第７工程により親入金キューの状態を更新したとき、前記第２工程により取引通番号を送信した窓口端末からの親入金キューに対する通信のみを許可する第９工程を実行させ、前記第８工程による管理データベースに格納した親入金キューを確定したとき、前記第９工程による許可を解除する第１０工程を実行させる請求項７記載の口座データ登録方法。
【発明の詳細な説明】
【技術分野】
【０００１】
本発明は、金融機関における現金入金処理に出納機を用い、口座データへの入金額の登録を窓口端末により行う口座データ登録システム及び口座データ登録方法に係り、特に複数の入金伝票による入金を１つに纏めて出納機に入金処理する際及び１枚の入金伝票による入金を複数に分けて出納機に入金処理する際に有益な口座データ登録システム及び口座データ登録方法に関する。
【背景技術】
【０００２】
一般に金融機関における現金の入金処理を係員が行う現金処理システムは、複数の顧客の口座データを格納する元帳データベースと、この元帳データベースに接続され勘定系ホストコンピュータと、現金の出納及び出納記録を認証伝票に印字する出納機と、この出納機による入金管理を行うための入金キューを格納する管理データベースと、この管理データベースに接続される管理サーバと、この管理サーバと接続され、前記認証伝票に印字された出納記録及び顧客が記載した入金伝票を基に元帳データベースにおける顧客口座を特定し、入金処理を確定させる窓口端末と、これらコンピュータ機器を接続する通信網とを備える。前記出納機は、例えば、渉外担当者が渉外先へ持ち出す出金処理や渉外先から持ち帰った現金の入金処理を行うものであり、従来の出納担当者を介さずに出納機を各担当者自らが操作する機器である。なお、一般にキュー（ｑｕｅｕｅ）とは、コンピュータ技術における先に入力したデータを先に出力するデータ構造（ｄａｔａ  ｓｔｒｕｃｔｕｒｅ：データの集まりをコンピュータの中で効果的に扱うために一定の形式に系統立てて格納するときの形式のこと。）の一種であり、本明細書で記載する入金キューとは、口座データベースへの入金処理を行う際に一時的に使用されるデータ構造である。
【０００３】
このように構成された現金処理システムは、係員が袋詰めされた現金を出納機により入金したとき、この現金入金額を管理サーバが取引通番号を付与した入金キューを管理データベースに登録し、次いで、窓口端末の担当者が出納機にて印字された認証伝票及び顧客が記載した入金伝票を参照しながら入金口座や入金額を窓口端末を用いて確定し、この確定した入金データを元帳データベースに登録するように動作する。
【０００４】
前述の金融機関における現金処理システムに関する従来技術が記載された文献としては下記特許文献１が挙げられ、この特許文献１には、係員が取引のための操作を行う窓口端末と、この窓口端末の後方に設置されかつ係員の操作により金額の大きい取引現金の入出金処理を１度で行うことができる出納機と、通番号と取引金額とを対応づけて記憶する管理装置とを接続し、窓口端末から通番号が入力されたとき管理装置がその識別子に対応する取引金額を窓口端末に送り、出納機から通番号が入力されたときに管理装置がその通番号に対応する取引金額を出納機に送ることによって、金額の入力ミスを少なくして取引処理時間を短縮する技術が記載されている。
【先行技術文献】
【特許文献】
【０００５】
【特許文献１】特開２００３−１６２６３１号公報
【発明の概要】
【発明が解決しようとする課題】
【０００６】
前述の特許文献１記載の技術は、金額の入力ミスを少なくして取引処理時間を短縮することができるものの、実際の金融機関においては、外回りの係員が顧客から現金を預かって入金処理を行う際、顧客からの現金が複数の入金伝票にもかかわらず１つに袋詰めされている場合、複数の入金伝票による出納機への入金を１回の入金処理により行い、入金伝票と認証伝票とが複数対単数（ｎ対１）になるために窓口端末における入金口座や入金額を確定することができないという課題と、顧客からの現金が１枚の入金伝票にもかかわらず複数の袋に袋詰めされている場合、１枚の入金伝票による出納機への入金を複数回の入金処理により行い、入金伝票と認証伝票とが単数対複数（１対ｎ）になるために窓口端末における入金口座や入金額を確定することができないという課題を招くものであった。
【０００７】
即ち、従来技術においては、入金伝票と認証伝票とが複数対単数（ｎ対１）の場合、認証伝票に記載された１つの入金額を複数の入金伝票毎に分割して入金口座及び入金額を確定するニーズ（分割入金ニーズ）や、入金伝票と認証伝票とが単数対複数（１対ｎ）の場合、認証伝票に記載された複数の入金額の総計を入金伝票に記載した口座に一括して入金額を確定するニーズ（一括入金ニーズ）があるにも関わらず、これらニーズを満足することができないというという課題を招くものであった。
【０００８】
なお、前述の出納機における一括入金ニーズは、例えば顧客が日付毎の売り上げを管理し、日付毎に現金を袋詰めしており、係員が１枚の入金伝票にて口座振り込みを依頼される場合であり、出納機における入金処理を日付毎の袋詰め単位で行う為、日付毎の認証伝票にもかかわらず複数日の現金を１つに纏めて１枚の入金伝票にて口座振り込みを依頼される場合である。
【０００９】
本発明の目的は、前述の従来技術による課題を解決することであり、入金伝票と認証伝票とが複数対単数の場合及び単数対複数にも窓口端末において入金口座及び入金額を確定して登録することができる口座データ登録システム及び口座データ登録方法を提供することである。
【課題を解決するための手段】
【００１０】
前記目的を達成するために請求項１記載の発明は、顧客の口座データを格納する元帳データベースと、現金を入金する出納機と、出納機が入金した取引金額及び出納機番号を含む入金明細データを入力とし、前記現金の入金処理に対して付与した取引通番号及び取引金額を含む入金キューを生成する管理サーバと、この管理サーバが生成した入金キューを格納する管理データベースと、前記入金キュー及び入金伝票記載の入金額を参照して元帳データベースの口座データに取引金額を登録する窓口端末とを備え、前記出納機が現金の出納を行った前記取引通番号を認証伝票に印字する口座データ登録システムであって、前記現金入金処理に対して取引通番号を付与した親入金キュー及び前記親入金キューの内訳を細分化するための枝番号を付与した子入金キューを格納する管理データベースを設け、前記入金伝票と認証伝票とが複数対単数のとき、前記窓口端末が、前記認証伝票に印字された取引通番号を管理サーバに送信する第１工程と、前記第１工程による取引通番号を受信した管理サーバが、前記受信した取引通番号をキーとして管理データベースに格納した親入金キューを検索して前記窓口端末に返信する第２工程と、前記第２工程により親入金キューを受信した窓口端末が、前記親入金キューに含まれる取引金額に対して入金伝票記載の入金額を指定した入力明細データを前記管理サーバに送信する第３工程と、前記第３工程により入力明細データを受信した管理サーバが、前記親入金キューの内訳を細分化するための枝番号を付与したデータ構造である子入金キューを生成し、前記子入金キューに前記受信した入力明細データに含まれる入金伝票記載入金額を管理データベースに格納して前記窓口端末に返信する第４工程と、前記窓口端末が入金取引を実行し、前記元帳データベースの口座データに入金伝票記載の金額を登録したとき、前記管理サーバに管理データベースに格納した親入金キュー及び子入金キューを確定させる第５工程とを実行することを特徴とする。
【００１１】
請求項２記載の発明は、前記請求項１記載の口座データ登録システムにおいて、管理サーバに複数の窓口端末が接続された口座データ登録システムにおいて、前記管理サーバが、前記第４工程により生成した子入金キューを管理データベースに格納したとき、前記第１工程により取引通番号を送信した窓口端末からの親入金キューに対する通信のみを許可する第６工程と、前記第５工程による管理データベースに格納した親入金キュー及び子入金キューを確定したとき、前記第６工程による許可を解除する第７工程を実行することを特徴とする。
【００１２】
請求項３記載の発明は、顧客の口座データを格納する元帳データベースと、現金を入金する出納機と、出納機が入金した取引金額及び出納機番号を含む入金明細データを入力とし、前記現金の入金処理に対して付与した取引通番号及び取引金額を含む入金キューを生成する管理サーバと、この管理サーバが生成した入金キューを格納する管理データベースと、前記入金キュー及び入金伝票記載の入金額を参照して元帳データベースの口座データに取引金額を登録する窓口端末とを備え、前記出納機が現金の出納を行った前記取引通番号を認証伝票に印字する口座データ登録システムであって、前記現金入金処理に対して取引通番号を付与した親入金キュー及び前記親入金キューの内訳を細分化するための枝番号を付与した子入金キューを格納する管理データベースを設け、前記入金伝票と認証伝票とが単数対複数のとき、前記窓口端末が、前記複数の認証伝票に印字された複数の入金金額の合計額を入金取引金額として設定する第１工程と、前記窓口端末が、認証伝票に印字された取引通番号を管理サーバに送信する第２工程と、前記第２工程による取引通番号を受信した管理サーバが、前記受信した取引通番号をキーとして管理データベースに格納した親入金キューを検索して前記窓口端末に返信する第３工程と、前記第３工程により親入金キューを受信した窓口端末が、前記親入金キューに含まれる取引金額が前記入金取引金額の一部であることを示す継続宣言されたことを検知する第４工程と、前記第４工程により継続宣言した窓口端末が、次の認証伝票に印字された取引通番号を管理サーバに送信する第５工程と、前記第５工程による取引通番号を受信した管理サーバが、前記受信した取引通番号をキーとして管理データベースに格納した次の親入金キューを検索して前記窓口端末に返信する第６工程と、前記窓口装置が、前記第３工程及び第６工程により受信した親入金キューに含まれる取引金額の累計金額が前記第１工程により設定した入金取引金額の全てであることを示す確定宣言されたことを検知することにより、前記管理サーバに管理データベースに格納した親入金キューの状態を更新する第７工程と、前記窓口端末が入金取引を実行し、前記元帳データベースの口座データに入金伝票記載の金額を登録したとき、前記管理サーバに管理データベースに格納した親入金キューを確定させる第８工程とを実行することを特徴とする。
【００１３】
請求項４記載の発明は、前記請求項３記載の管理サーバに複数の窓口端末が接続された口座データ登録システムにおいて、前記管理サーバが、前記第７工程に親入金キューの状態を更新したとき、前記第２工程により取引通番号を送信した窓口端末からの親入金キューに対する通信のみを許可する第９工程と、前記第８工程による管理データベースに格納した親入金キューを確定したとき、前記第９工程による許可を解除する第１０工程を実行することを特徴とする。
【００１４】
請求項５記載の発明は、顧客の口座データを格納する元帳データベースと、現金を入金する出納機と、出納機が入金した取引金額及び出納機番号を含む入金明細データを入力とし、前記現金の入金処理に対して付与した取引通番号及び取引金額を含む入金キューを生成する管理サーバと、この管理サーバが生成した入金キューを格納する管理データベースと、前記入金キュー及び入金伝票記載の入金額を参照して元帳データベースの口座データに取引金額を登録する窓口端末とを備え、前記出納機が現金の出納を行った前記取引通番号を認証伝票に印字する口座データ登録方法であって、前記現金入金処理に対して取引通番号を付与した親入金キュー及び前記親入金キューの内訳を細分化するための枝番号を付与した子入金キューを格納する管理データベースを設け、前記入金伝票と認証伝票とが複数対単数のとき、前記窓口端末に、前記認証伝票に印字された取引通番号を管理サーバに送信する第１工程を実行させ、前記第１工程による取引通番号を受信した管理サーバに、前記受信した取引通番号をキーとして管理データベースに格納した親入金キューを検索して前記窓口端末に返信する第２工程を実行させ、前記第２工程により親入金キューを受信した窓口端末に、前記親入金キューに含まれる取引金額に対して入金伝票記載の入金額を指定した入力明細データを前記管理サーバに送信する第３工程を実行させ、前記第３工程により受信した入力明細データを受信した管理サーバに、前記親入金キューの内訳を細分化するための枝番号を付与したデータ構造である子入金キューを生成し、前記子入金キューに前記受信した入力明細データに含まれる入金伝票記載入金額を管理データベースに格納して前記窓口端末に返信する第４工程を実行させ、前記窓口端末が入金取引を実行し、前記元帳データベースの口座データに入金伝票記載の金額を登録したとき、前記管理サーバに管理データベースに格納した親入金キュー及び子入金キューを確定させる第５工程を実行させることを特徴とする。
【００１５】
請求項６記載の発明は、前記請求項５記載の前記管理サーバに複数の窓口端末が接続された口座データ登録システムの口座データ登録方法において、前記管理サーバに、前記第４工程により生成した子入金キューを管理データベースに格納したとき、前記第１工程により取引通番号を送信した窓口端末からの親入金キューに対する通信のみを許可する第６工程を実行させ、前記第５工程による管理データベースに格納した親入金キュー及び子入金キューを確定したとき、前記第６工程による許可を解除する第７工程を実行させることを特徴とする。
【００１６】
請求項７記載の発明は、顧客の口座データを格納する元帳データベースと、現金を入金する出納機と、出納機が入金した取引金額及び出納機番号を含む入金明細データを入力とし、前記現金の入金処理に対して付与した取引通番号及び取引金額を含む入金キューを生成する管理サーバと、この管理サーバが生成した入金キューを格納する管理データベースと、前記入金キュー及び入金伝票記載の入金額を参照して元帳データベースの口座データに取引金額を登録する窓口端末とを備え、前記出納機が現金の出納を行った前記取引通番号を認証伝票に印字する口座データ登録方法であって、前記現金入金処理に対して取引通番号を付与した親入金キュー及び前記親入金キューの内訳を細分化するための枝番号を付与した子入金キューを格納する管理データベースを設け、前記入金伝票と認証伝票とが単数対複数のとき、前記窓口端末に、前記複数の認証伝票に印字された複数の入金金額の合計額を入金取引金額として設定する第１工程を実行させ、認証伝票に印字された取引通番号を管理サーバに送信する第２工程を実行させ、前記第２工程による取引通番号を受信した管理サーバに、前記受信した取引通番号をキーとして管理データベースに格納した親入金キューを検索して前記窓口端末に返信する第３工程を実行させ、前記第３工程により親入金キューを受信した窓口端末に、前記親入金キューに含まれる取引金額が前記入金取引金額の一部であることを示す継続宣言されたことを検知する第４工程を実行させ、前記第４工程により継続宣言した窓口端末に、次の認証伝票に印字された取引通番号を管理サーバに送信する第５工程を実行させ、前記第５工程による取引通番号を受信した管理サーバに、前記受信した取引通番号をキーとして管理データベースに格納した次の親入金キューを検索して前記窓口端末に返信する第６工程を実行させ、前記窓口装置に、前記第３工程及び第６工程により受信した親入金キューに含まれる取引金額の累計金額が前記第１工程により設定した入金取引金額の全てであることを示す確定宣言されたことを検知することにより、前記管理サーバに管理データベースに格納した親入金キューの状態を更新する第７工程を実行させ、前記窓口端末が入金取引を実行し、前記元帳データベースの口座データに入金伝票記載の金額を登録したとき、前記管理サーバに管理データベースに格納した親入金キューを確定させる第８工程を実行させることを特徴とする。
【００１７】
請求項８記載の発明は、前記請求項７記載の管理サーバに複数の窓口端末が接続された口座データ登録システムの口座データ登録方法において、前記管理サーバに、前記第７工程により親入金キューの状態を更新したとき、前記第２工程により取引通番号を送信した窓口端末からの親入金キューに対する通信のみを許可する第９工程を実行させ、前記第８工程による管理データベースに格納した親入金キュー及び子入金キューを確定したとき、前記第９工程による許可を解除する第１０工程を実行させることを特徴とする。
【発明の効果】
【００１８】
請求項１及び２並びに５及び６記載の発明による口座データ登録システム及び口座データ登録方法は、入金伝票と認証伝票とが複数対単数の場合、窓口端末が前記第４工程により受信した子入金キューに含まれる入金伝票記載入金額の累計金額と前記出納機により入金した取引金額の合計額とが一致すると判定したとき、前記管理サーバに管理データベースに格納した親入金キュー及び子入金キューを確定させることによって、複数の入金伝票による出納機へ纏めて入金した際にも１つの取引として入金口座及び入金額を確定することができる。
【００１９】
請求項３及び４並びに７及び８記載の発明による口座データ登録システム及び口座データ登録方法は、入金伝票と認証伝票とが単数対複数の場合、前記窓口装置が、前記第３工程及び第６工程により受信した親入金キューに含まれる取引金額の累計金額が前記第１工程により設定した入金取引金額の全てであると前記第７工程で確定宣言されたとき、前記管理サーバに管理データベースに格納した親入金キューを確定させることによって、１枚の入金伝票による出納機への入金を分割して入金した際にも１つの取引として入金口座及び入金額を確定することができる。
【図面の簡単な説明】
【００２０】
【図１】本発明による口座データ登録システムの一実施形態を説明するための図
【図２】本発明の実施形態による管理データベースの説明図
【図３】本発明の実施形態による管理データベースの登録データ遷移の説明図
【図４Ａ】本発明の実施形態による口座データ登録方法の分割入金動作フロー図
【図４Ｂ】本発明の実施形態による口座データ登録方法の分割入金動作フロー図
【図５】本発明の実施形態による口座データ登録方法の一括入金動作フロー図
【図６Ａ】本発明の実施形態による分割入金処理の説明図
【図６Ｂ】本発明の実施形態による分割入金処理の説明図
【図６Ｃ】本発明の実施形態による分割入金処理の説明図
【図６Ｄ】本発明の実施形態による分割入金処理の説明図
【図７Ａ】本発明の実施形態による一括入金処理の説明図
【図７Ｂ】本発明の実施形態による一括入金処理の説明図
【図７Ｃ】本発明の実施形態による一括入金処理の説明図
【発明を実施するための形態】
【００２１】
以下、本発明による口座データ登録方法を採用した口座データ登録システムを図面を参照して説明する。
［構成］
図１は、本発明の一実施形態による口座データ登録システムを適用した現金処理システムの全体構成を説明するための図である。この現金処理システムは、複数の顧客の口座データを格納する元帳データベース７０と、この元帳データベース７０に接続され、口座データの管理を行う勘定系ホストコンピュータ８０と、現金の出納及び出納記録を認証伝票２１に印字する出納機２０と、この出納機２０による入金管理を行うための入金キューを格納する管理データベース５０と、この管理データベース５０に接続され、入金キューの管理を行う管理サーバ４０と、この管理サーバ４０と接続され、前記認証伝票２１に印字された出納記録及び顧客が記載した入金伝票を基に元帳データベース７０における顧客口座及び入金額を特定し、入金処理を確定させるための複数の窓口端末１０と、これら窓口端末１０及び出納機２０を管理サーバ４０に接続する構内通信網（ＬＡＮ：Ｌｏｃａｌ  Ａｒｅａ  Ｎｅｔｗｏｒｋ）３０と、この管理サーバ４０を勘定系ホストコンピュータ８０に接続する広域通信網（ＷＡＮ：Ｗｉｄｅ  Ａｒｅａ  Ｎｅｔｗｏｒｋ）６０とを備える。なお、本明細書では、入金処理について説明するために出金処理に関する出金キューの管理については説明を省略する。
【００２２】
前記管理データベース５０は、窓口端末１０から入力された顧客口座番号及び入金額を基に口座データベースに格納された顧客の口座番号に対する入金処理を行う際に使用されるデータ構造である入金キューを格納するものであって、本実施形態においては、この入金キューとして、親入金キューと子入金キューとを設定し、これらキューを格納する記憶部として、親入金キュー管理テーブル部５１及び子入金キュー管理テーブル部５２を備える。
【００２３】
前記親入金キュー管理テーブル部５１に格納する親キューは、出納機２０により入金された入金処理の１単位毎に設定されるものであって、図２に示す如く、出納機を識別するための出納機番号と、出納の年月日と、出納処理取引の一意の通し番号である取引通番号と、後述する子入金キュー用の枝番号と、入金処理１単位毎の出納取引の金額を示す取引金額と、この取引金額中の内訳額を示す現金金額と、取引中の現金残の金額を示す現金残と、この１単位取引の処理状態を識別するための処理フラグの各欄とから構成される。この親入金キュー管理テーブル部５１に格納される親入金キューの１レコードは、例えば、出納機番号「Ａ００１」の出納機の日付「２０１０／１／２０」の取引通番号「００１」の入金出納取引の取引通番号が「００１」、枝番号が「００」、取引金額が「￥１，０００，０００」、現金金額が「￥１，０００，０００」、現金残が「￥８００，０００」、処理フラグが「処理中」であることを表している。また、前記「処理フラグ」は、窓口端末１０による処理状態の推移をフラグとして管理するものであって、「未処理」と「処理中」と「処理済」と「取消中」と「取消済」と「取消処理中」の６種とする。
【００２４】
前記子入金キュー管理テーブル部５２に格納する子入金キューは、前記親入金キューの１単位に対して複数の入金伝票がある場合、入金伝票毎に分割して細分化されるキューであって、図２に示す如く、前述の出納機番号「Ａ００１」の出納機の日付「２０１０／１／２０」の取引通番号「００１」の入金出納取引の取引通番号が「００１」の親入金キューに対して、入金金額が「￥２００，０００」と「￥８００，０００」の２枚の入金伝票がある場合、枝番号「０１」及び「０２」の如く採番され、各現金金額として「￥２００，０００」と「￥８００，０００」が格納される。なお、前記取引通番号もしくは枝番号は、後述する管理サーバが付与する。
【００２５】
前記勘定系ホストコンピュータ８０及び管理サーバ４０は、一般のコンピュータ同様に、ＣＰＵ（Ｃｅｎｔｒａｌ  Ｐｒｏｃｅｓｓｉｎｇ  Ｕｎｉｔ）、メモリ、磁気ディスク装置等の記憶手段、表示部、キーボード等の入出力機器、各種インターフェース機器、基本ＯＳ（オペレーティングシステム）及び各種ソフトウェアを含むものであり、前記元帳データベース７０及び管理データベース５０は、多数の磁気ディスク装置からなるレイド（ＲＡＩＤ：Ｒｅｄｕｎｄａｎｔ  Ａｒｒａｙ  ｆｏｒ  Ｉｎｅｘｐｅｎｓｉｖｅ  Ｄｉｓｋｓ）記憶装置である。
【００２６】
前記出納機２０は、操作者が現金の出納操作を行う為の各種処理メニュー及び処理画面などの情報を表示する表示部と、各種処理メニューの選択又は入金処理などの操作入力を行うキーボードと、各種処理を制御するプログラムを格納し、各種処理データを記憶する磁気ディスク装置と、現金の出納処理に関する認証情報を認証伝票に印字する印字部と、紙幣の出し入れを行う紙幣入出金部と、硬貨の出し入れを行う硬貨入出金部と、投入された現金を計数処理又は現金の支払い処理を行う現金処理ユニットと、上記各構成部による処理を制御する制御部とを備え、前記窓口端末１０は、勘定系ホストコンピュータ８０とのオンライン処理を行う為の各種取引画面や管理サーバ４０との出納機連携処理を行う為の画面及び操作キーを表示する表示部と、オペレータの操作によって各種データを入力するキーボードと、各種データを通帳、帳票及び伝票に印字する印字部と、全体の処理を司る制御部と、制御部が実行するプログラム等を格納する記憶部とを備え、表示部に表示される操作キーとしては、後述する「照会」、「確定」、「取止め」、「分割」、「継続」その他のキーが挙げられる。
【００２７】
［動作］
［分割入金処理］
この分割入金処理は、顧客からの現金が複数の入金伝票にもかかわらず１つの袋に詰められ、出納機において纏めて１枚の認証伝票にて入金された取引金額を入金伝票毎に分割するための処理であって、例えば、１件目の入金伝票が「￥２００，０００」、２件目の入金伝票が「￥８００，０００」であり、合計「￥１，０００，０００」の現金が出納機２０に纏めて入金され、この出納機２０により印字される認証伝票の入金キューが１件（取引通番号「０００１」）の場合に適用され、以下、この処理手順を、図４Ａ及び図４Ｂに示す処理フロー並びに図６Ａから図６Ｄに示す取引画面を参照して説明する。
【００２８】
この場合、本実施形態による口座データ登録システムは、図４Ａに示す如く、係員が複数の入金伝票分の現金を１つの袋により纏めて出納機に１件の出納処理として入金するステップＳ８００と、この現金が入金された出納機２０が入金額等の入金明細データを作成し、前記管理サーバ４０が親入金キューを親入金キュー管理テーブル部５１に格納するステップＳ８０１と、このキューを登録した管理サーバ４０が取引通番号を採番し、この取引通番号を親入金キューに設定すると共に出納機２０に前記取引通番号を通知するステップＳ８０２と、この通知を受けた出納機２０が前記取引通番号を認証伝票２１に印字出力するステップＳ８０３とを実行する。
【００２９】
次いで、この認証伝票を係員が窓口端末１０に持参し、入金取引１件目の入金伝票を参照して入金取引金額を窓口端末１０に入力するステップＳ８０４（図６Ａの画面８０１を参照）と、前記認証伝票に印字された取引通番号を入力するステップＳ８０５（同図の画面８０３を参照）と、窓口端末１０が管理サーバ４０に入力した取引通番号を基に親入金キュー管理テーブル部５１に格納した親入金キューを照会して取得するステップＳ８０６（同図の画面８０４を参照）と、この親入金キューを基に窓口端末１０の表示部に出納金額及び累計金額とを表示するステップＳ８０７（同図の画面８０５を参照）と、分割キーが押下され、入金伝票に記載された入金取引金額を入力するステップＳ８０８（図６Ｂの画面８０６を参照）と、窓口端末１０が入力明細データを作成し、管理サーバ４０に子入金キューの登録を要求するステップＳ８０９（同図の画面８０７を参照）と、このステップＳ８０９により管理サーバ４０が該当の親入金キューの更新及び子入金キュー作成用の枝番号を採番し、子入金キューを生成して子入金キュー管理テーブル部５２に格納するステップＳ８１０と、完了キーが押下され、勘定系ホストコンピュータ８０と通信して当該入金取引を実行後、管理サーバ４０が親入金キュー及び子入金キューを更新するステップＳ８１１と、１枚目の入金伝票処理を終了するステップＳ８１２とを実行する。なお、前記ステップＳ８１０において管理サーバ４０が子入金キューを生成し、子入金キュー管理テーブル５２に格納したとき、管理サーバ４０は、前記ステップＳ８０６による取引通番号を送信した窓口端末１０からの親入金キューに対する通信のみを許可するように動作する。
【００３０】
次いで、本システムは、図４Ｂに示す如く、入金取引２件目（入金伝票２枚目）の各処理（前記ステップＳ８０４から前記ステップＳ８１２と同様のステップＳ８１３からステップＳ８２１）更に、全入金伝票が無くなるまで入金取引３件目以降（入金伝票３枚目以降）の各処理（ステップＳ８２２）を実行する。
【００３１】
これら一連の処理によって、本システムは、元帳データベース７０に１枚の認証伝票取引を複数の入金伝票毎の取引に分けて入金データを登録することができる。これら工程による管理データベースに格納した親入金キュー及び子入金キューを確定したとき、管理サーバ４０は、前記ステップＳ８０６による取引通番号を送信した窓口端末１０からの親入金キューに対する通信のみを許可を解除し、他の窓口端末から通信を許可するように動作する。この窓口端末に対する処理中の親入金キューのアクセス制限は、後述する一括入金処理時においても同様であり、この処理は親入金キューの処理フラグによって設定される。この処理によって、ある窓口端末が処理中の入金キューが他の窓口端末からのアクセスによって変更されることを防止することができる。
【００３２】
本実施形態による口座データ登録システムは、前述した分割入金額を取り消す処理も行うことができ、この処理は、窓口端末１０において前述した取引通番号をキーとして、該当の親入金キューを管理データベース５０から抽出し、この抽出した親入金キューの処理フラグを「未処理」に更新し、且つ枝番号をキーとして該当の子入金キューを管理データベース５０から抽出し、この抽出した子入金キューの処理フラグを「取消済」に設定することによって行うことができる。なお、親入金キューの変更は、出納機による現金の出納と連動して行う必要があり、本明細書では説明を省略する。
【００３３】
［一括入金処理］
次に、本実施形態による口座データ登録システムにおける入金伝票と認証伝票とが単数対複数（１対ｎ）の場合の一括入金処理について、図５に示す処理フロー及び図７Ａから図７Ｃに示す画面を参照して説明する。
【００３４】
この一括入金処理の処理手順は、図５に示す如く、１枚の入金伝票分の現金を、例えば袋詰めが複数なことにより出納機２０に複数回に分けて入金するステップＳ９０１と、この現金が入金された出納機２０が入金額等の複数の入金明細データを作成し、管理サーバ４０が複数の親入金キューを親入金キュー管理テーブル部５１に格納するステップＳ９０２と、このキューを登録した管理サーバ４０が複数の取引通番号を採番し、この複数取引通番号を親入金キューに設定すると共に出納機２０に複数の取引通番号を出納機に通知するステップＳ９０３と、この通知を受けた出納機２０が複数取引通番号毎の認証伝票を印字出力するステップＳ９０４とを実行する。
【００３５】
次いで、この複数枚の認証伝票を係員が窓口端末１０に持参し、入金伝票を参照し入金取引金額を窓口端末１０に入力するステップＳ９０５（図７Ａの画面９０１を参照）と、１枚目の認証伝票に印字された取引通番号を入力するステップＳ９０６（同図の画面９０３を参照）と、窓口端末１０が管理サーバ４０に入力した取引通番号を基に親入金キュー管理テーブル部５１に格納した親入金キューを照会して取得するステップＳ９０７（同図の画面９０４を参照）と、この親入金キューを基に窓口端末１０の表示部に出納金額及び累計金額とを表示するステップＳ９０８（同図の画面９０５を参照）と、継続キーが押下され、次の認証伝票に印字された取引通番号を入力するステップＳ９０９（図７Ｂの画面９０７を参照）と、窓口端末１０が管理サーバ４０に入力した次の取引通番号を基に親入金キュー管理テーブル部５１に格納した親入金キューを照会して取得するステップＳ９１０（同図の画面９０８を参照）と、この次の親入金キューを基に窓口端末１０の表示部に出納機金額及び累計金額とを表示するステップＳ９１１（同図の画面９０９を参照）と、確定キーが押下され、複数取得した処理対象の親入金キューの更新を要求するステップＳ９１２（図７Ｃの画面９１０を参照）と、このステップＳ９１２により管理サーバ４０が該当の親入金キューを更新（処理フラグに「処理中」を設定）するステップＳ９１３と、完了キーが押下され、勘定系ホストコンピュータ８０と通信して当該入金取引を実行後、管理サーバ４０が複数の認証伝票に当該する親入金キューを更新（処理フラグに「処理済」を設定）するステップＳ９１４とを実行することで、複数の認証伝票の取引を１枚の入金伝票で入金取引する（元帳データベース７０に複数の認証伝票毎の入金データを登録する）ことができる。尚、認証伝票が３枚以上有る場合は、前記ステップＳ９０９から前記ステップＳ９１１を繰返し処理する。
【００３６】
このように本実施形態による口座データ登録システム及び口座データ登録方法は、入金伝票と認証伝票とが複数対単数の場合、窓口端末が受信した子入金キューに含まれる入金伝票記載入金額の累計金額と前記出納機により入金した取引金額の合計額とが一致すると判定したとき、前記管理サーバに管理データベースに格納した親入金キュー及び子入金キューを確定させること、入金伝票と認証伝票とが単数対複数の場合、前記窓口装置が、受信した親入金キューに含まれる取引金額の累計金額が設定した入金取引金額と一致すると判定したとき、管理サーバに管理データベースに格納した親入金キューを確定させることによって、１枚の入金伝票による出納機への入金を分割して入金した際にも１つの取引として入金口座及び入金額を確定することができる。
【符号の説明】
【００３７】
１０  窓口端末、２０  出納機、２１  認証伝票、３０  通信網、４０  管理サーバ、５０  管理データベース、５１  親入金キュー管理テーブル部、５２  子入金キュー管理テーブル部、６０  通信網、７０  元帳データベース、８０  勘定系ホストコンピュータ
【図１】
0005503327.tif 000002
【図２】
0005503327.tif 000003
【図３】
0005503327.tif 000004
【図４Ａ】
0005503327.tif 000005
【図４Ｂ】
0005503327.tif 000006
【図５】
0005503327.tif 000007
【図６Ａ】
0005503327.tif 000008
【図６Ｂ】
0005503327.tif 000009
【図６Ｃ】
0005503327.tif 000010
【図６Ｄ】
0005503327.tif 000011
【図７Ａ】
0005503327.tif 000012
【図７Ｂ】
0005503327.tif 000013
【図７Ｃ】
0005503327.tif 000014